(57)【要約】      （修正有）【課題】  検索して表示部に表示した電子ジャーナルと連動させて一商取引の内容を修正する。【解決手段】  ジャーナルファイルに蓄積保存されたジャーナルデータを表示部に表示させ（ＳＴ１０３）、この表示部に表示されるジャーナルデータの中から所定の一商取引のジャーナルデータを指定し（ＳＴ１０４）、ジャーナルデータの近傍に表示されるジャーナルデータの一商取引の処理に対する修正が指示されると（ＳＴ１０６）、指定されたジャーナルデータで特定される商取引の内容を前記指示に基づいて修正する（ＳＴ１０９）。【選択図】図３
2008071164.tif 000002
【特許請求の範囲】
【請求項１】
商取引に係わるデータを入力する入力部、この入力部を介して入力された商取引に係わるデータを基に処理される商品販売データ等を表示する表示部及びジャーナルデータを商取引発生順に蓄積保存するジャーナルファイルを有した商品販売データ処理装置において、
前記ジャーナルファイルに蓄積保存されたジャーナルデータを前記表示部に表示させるジャーナル表示手段と、
このジャーナル表示手段により前記表示部に表示されるジャーナルデータの中から所定の一商取引のジャーナルデータを指定する指定手段と、
前記ジャーナル表示手段により前記表示部に表示されるジャーナルデータの近傍に表示される前記ジャーナルデータで特定される一商取引の処理に対して修正を指示する指示手段と、
前記指定手段により指定されたジャーナルデータで特定される商取引の処理を前記指定手段による指示に基づいて修正する商取引修正手段とを具備したことを特徴とする商品販売データ処理装置。
【発明の詳細な説明】
【技術分野】
【０００１】
本発明は、電子ジャーナルファイルを備えたＰＯＳ（Point Of Sales）端末等の商品販売データ処理装置に関する。
【背景技術】
【０００２】
従来では、電子ジャーナルファイルから特定商取引を抽出するためには、レシート番号等の抽出条件等を入力し抽出する必要があり、予め指定する商取引の抽出条件が必要となる不便さがあった。
【０００３】
また、ＰＯＳ端末では直前の数商取引分を遡って目視によって、表示部に表示させた電子ジャーナルファイルを確認することが多い。その際、オペレータが所定の商取引のレジマイナス処理や返品処理を行なう場合に、顧客がレシートを所持していない場合には当該レシートで特定される商取引をオペレータが選択することは難しい。また、顧客がレシートを特定するための抽出条件を覚えている場合には当該条件で電子レシートを電子レシートファイルから抽出した後、内容を控えるか、又は印字してからレジマイナス処理や返品処理のための操作を行っていた。
【０００４】
なお、各種操作が行われるとその操作の種類を表す操作種類コードを電子ジャーナルに記憶し、操作の種類を指定する操作が行われると電子ジャーナルから該当する操作種類コードを含む商取引データを検出して表示することにより、電子ジャーナルデータの確認作業を容易に行なうことができるＰＯＳレジスタが知られている（例えば、特許文献１参照）。
【特許文献１】特開２００４−２０６３７２号公報
【発明の開示】
【発明が解決しようとする課題】
【０００５】
上記技術では、電子ジャーナルファイルから所定の電子ジャーナルを検索することはできる。しかし、検索して表示部に表示された電子ジャーナルで特定される商取引のレジマイナス処理、返品処理などの一商取引の処理を修正することが、表示部に表示された電子ジャーナルと連動させて行なうことができなかった。
【０００６】
本発明は上記事情に鑑みてなされたものであって、その目的は、検索して表示部に表示した電子ジャーナルと連動させて一商取引の処理を修正することができる商品販売データ処理装置を提供することにある。
【課題を解決するための手段】
【０００７】
本発明は、商取引に係わるデータを入力する入力部、この入力部を介して入力された商取引に係わるデータを基に処理される商品販売データ等を表示する表示部及びジャーナルデータを商取引発生順に蓄積保存するジャーナルファイルを有した商品販売データ処理装置において、ジャーナルファイルに蓄積保存されたジャーナルデータを表示部に表示させ、この表示部に表示されるジャーナルデータの中から所定の一商取引のジャーナルデータを指定し、ジャーナルデータの近傍に表示されるジャーナルデータの一商取引の処理の修正が指示されると、指定されたジャーナルデータで特定される商取引の処理を指示に基づいて修正するものである。
【発明の効果】
【０００８】
本発明によると、検索して表示部に表示した電子ジャーナルと連動させて一商取引の処理を修正することができる商品販売データ処理装置を提供できる。
【発明を実施するための最良の形態】
【０００９】
以下、本発明を実施するための最良な形態について、図面を用いて説明する。  
なお、この実施の形態は、商品販売データ処理装置の一態様であるＰＯＳ端末に本発明を適用した場合である。
【００１０】
図１は本実施の形態におけるＰＯＳ端末１の要部構成を示すブロック図であって、このＰＯＳ端末１は、制御部本体としてＣＰＵ（Central Processing Unit）１１を搭載している。また、後述するジャーナルログ確認処理などのプログラム等及び固定的データが予め格納されたＲＯＭ（Read Only Memory）１２、商品販売データの登録処理等で必要な種々のデータメモリエリアが形成されるＲＡＭ（Random Access Memory）１３、ＨＤＤ装置で構成された電子ジャーナルファイル１４、現在の日付及び時刻を計時する時計部１５、ＬＡＮ（Local Area Network）等の通信回線を介して接続される上位コンピュータとのデータ通信を司る通信インターフェイス１６を搭載しており、前記ＣＰＵ１１と、ＲＯＭ１２，ＲＡＭ１３，電子ジャーナルファイル１４，時計部１５及び通信インターフェイス１６とを、アドレスバス，データバス等のバスライン１７で接続している。
【００１１】
また当該ＰＯＳ端末１は、現金等を収容するためのドロワ１８の他、入出力機器としてキーボード１９，オペレータ用表示器２０，客用表示器２１，レシートプリンタ２２及びスキャナ２３を備えている。ドロワ１８は、Ｉ／Ｏ（Input／Output）ポート２４に接続されており、このＩ／Ｏポート２４から出力される駆動信号に応じて開放動作するようになっている。
【００１２】
キーボード１９は、サインオンを行うための責任者キーの他、テンキー，部門キー，小計キー，預／現計キー，クリアキー，値引キー，割引キー等の商取引に係わるデータ等を入力するための各種キーを配設したもので、入力部として機能する。このキーボード１９に対応してキーボードコントローラ２５を設けており、キー操作に応じてキーボード１９から出力されるキー信号をキーボードコントローラ２５で入力処理するようになっている。
【００１３】
オペレータ用表示器２０は、入力部を介して入力された商取引に係わるデータを基に処理される商品販売データ等を表示するもので、キャッシャと称されるオペレータに対する表示部として機能する。本実施の形態では、このオペレータ用表示器２０として、ディスプレイ２０１の画面上にタッチパネルセンサ２０２を配したタッチパネルを使用している。そして、ディスプレイ２０１に対応して表示コントローラ２６を設けており、この表示コントローラ２６によりディスプレイ２０１の画面表示を制御する。また、タッチパネルセンサ２０２に対応してＩ／Ｏポート２７を設けており、ディスプレイ２０１の画面タッチ操作により変化するタッチパネルセンサ２０２の信号を当該Ｉ／Ｏポート２７に入力するようになっている。
【００１４】
客用表示器２１は、買物客に対して上記商品販売データ等を表示するものである。この客用表示器２１に対応して表示コントローラ２８を設けており、この表示コントローラ２８により客用表示器２１の画面表示を制御する。
【００１５】
レシートプリンタ２２は、上記商品販売データを含む商取引の明細等をレシート用紙に印字しレシートを発行するものである。このレシートプリンタ２２に対応してプリンタコントローラ２９を設けており、このプリンタコントローラ２９によりレシートプリンタ２２の印字動作を制御する。
【００１６】
スキャナ２３は、商品に付されているバーコードをスキャニング入力するもので、キーボード１９と同様に入力部として機能する。このスキャナ２３に対応してスキャナコントローラ３０を設けており、スキャニングされたバーコードデータを当該スキャナコントローラ３０で入力処理するようになっている。
【００１７】
前記各Ｉ／Ｏポート２４，２７と各入出力機器のコントローラ２５，２６，２８，２９，３０は、いずれも前記バスライン１７に接続しており、このバスライン１７を介してＣＰＵ１１とデータを授受する。
【００１８】
また当該ＰＯＳ端末１は、「登録」，「点検」，「精算」，「設定」等の各種業務モードを選択可能であり、手動操作によりいずれかの業務モードが選択されると、その実行をＣＰＵ１１に指令するモードスイッチ３１を設けている。モードスイッチ３１は、前記Ｉ／Ｏポート２４に接続されており、このＩ／Ｏポート２４を介してモードスイッチ３１の信号がＣＰＵ１１に与えられ、ＣＰＵ１１の動作を制御する。
【００１９】
さて、本実施の形態では、このモードスイッチ３１の操作により、前記電子ジャーナルファイル１４に保存されたジャーナルデータを確認するためのジャーナルログ確認モードを選択可能とする。
【００２０】
図２は前記電子ジャーナルファイル１４に保存されるデータ構造の一例である。図示するように、電子ジャーナルファイル１４には、ジャーナルデータが、１レコード毎に連続番号（以下、レコード番号と称する）ＲＮｏ及び表示ポインタＤＰと対応付けられて保存されている。また、１枚のレシートへの全印字データに相当する１単位分のジャーナルデータとその次に発生した１単位分のジャーナルデータとの間に、予め設定された区切マークのデータが介挿されている。
【００２１】
次にジャーナルログ確認処理について説明する。図３はＣＰＵ１１が実行するジャーナルログ確認処理の主要な処理手順を示すフローチャートである。この処理は、前記モードスイッチ３１が切替え操作されてジャーナルログ確認モードが選択されたことに応じて実行される。
【００２２】
先ず、ＣＰＵ１１は、ＳＴ１０１としてオペレータ用表示器２０（ディスプレイ２０１）に、図４に示すレイアウトのジャーナルログ確認画面４０を表示させる。このジャーナルログ確認画面４０には、取引Ｎｏ．，現計，商品券，信計等の各種ジャーナルデータ検索条件を選択するための検索条件選択ボタン４１、ジャーナルログ確認画面を終了して閉じるための終了ボタン４２、レジマイナスを実行させるためのレジマイボタン４３、電子ジャーナルを指定するための範囲選択ボタン４４、電子ジャーナルを表示するページを移動させるための先頭頁ボタン４５、前頁ボタン４６、次頁ボタン４７、最終頁４８、印刷を指示するための全印字ボタン４９等のボタン画像が表示されている。また、電子ジャーナルファイル１４に保存されているジャーナルデータを表示するためのジャーナルデータ表示エリア５０が形成されている。ジャーナルデータ表示エリア５０は、複数Ｘ行分のジャーナル１ラインデータを表示可能なサイズが確保されている。また、スクロールバー５１が並設表示されており、このスクロールバー５１を操作することによって前後のジャーナル１ラインデータがスクロール表示される。また、ＣＰＵ１１は、電子ジャーナルファイルに記憶されたジャーナルデータをジャーナルログ確認画面４０のジャーナルデータ表示エリア５０へ表示する（ジャーナル表示手段）。
【００２３】
なお、このようにジャーナルデータをジャーナルデータ表示エリア５０に表示する際に表示されるジャーナルデータは、例えば現在時刻に最も近いジャーナルデータが表示されるように予め設定しておく。また、各ジャーナルデータは上述した区切りマークを用いることにより一ジャーナルデータを抽出してジャーナルデータ表示エリア５０に表示するようになっている。また、図４に示したジャーナルログ確認画面４０はあくまでも一例であり、当該画面のレイアウトに格別な限定はなく、ジャーナルデータ表示エリア５０さえ確保されていれば種々変形実施可能であるのは言うまでもないことである。
【００２４】
そして、ＳＴ１０２として、このようにジャーナルデータ表示エリア５０に表示されるジャーナルデータから処理を修正するジャーナルデータを検索するために設けられている検索条件選択ボタン４１が選択されると、ＣＰＵ１１は、ＳＴ１０３として、当該検索条件に基づいてジャーナルデータを検索し、検索したジャーナルデータをジャーナルデータ表示エリア５０に表示する。例えば、図４で示す取引Ｎｏ．が検索条件として選択されれば、その後に入力される取引Ｎｏ．と一致するジャーナルデータが電子ジャーナルファイル１４から検索され、その検索されたジャーナルデータがジャーナルデータ表示エリア５０に表示される。
【００２５】
続いて、ＳＴ１０４として、ＣＰＵ１１は、電子ジャーナルが指定されると（指定手段）、つまり、ジャーナルログ確認画面４０に表示された範囲選択ボタン４４がタッチされると、ＣＰＵ１１は、ＳＴ１０５として、ジャーナルデータ表示エリア５０に表示している電子ジャーナルの表示を、図５に示すように白黒反転させる。これにより、ジャーナルデータ表示エリア５０に表示されている電子ジャーナルが選択されたことをオペレータに視認させることができる。
【００２６】
続いて、ＳＴ１０６として、ＣＰＵ１１は、ジャーナルデータ表示エリア５０に表示され白黒反転表示している電子ジャーナルで特定される一商取引の処理に対する修正が指示されると（指示手段）、ＣＰＵ１１は、ＳＴ１０７として、指定された電子ジャーナルで特定される一商取引の処理を修正してよいか否かをオペレータに問い合わせるポップアップ表示５２を、図６に示すように、ジャーナルログ確認画面４０上に行なう。なお、一商取引の処理は、例えば、一商取引の内容の一部分を修正する処理ではなく、レジマイナス処理のように一商取引全体を修正する処理である。したがって、この実施の形態では、レジマイナス処理の場合で説明するが、レジマイナス処理だけでなく返品処理であっても良い。
【００２７】
そして、ＣＰＵ１１は、ＳＴ１０８として、一商取引の処理を修正することを許可する旨の指示、例えば、ジャーナルログ確認画面４０上に表示したポップアップ表示５２の「はい」ボタンが入力されると、ＣＰＵ１１は、ＳＴ１０９として、指定された電子ジャーナルで特定される一商取引の処理を修正する（商取引処修正手段）。例えば、レジマイボタン４３がタッチされた場合には、指定された電子ジャーナルで特定される商取引のレジマイナス処理を電子ジャーナルファイル１４に追記する。なお、レジマイナス処理は従来よりあるものであるため、詳細な説明を省略する。図７は、図５で選択されたジャーナルデータに対してレジマイナス処理を実行した場合に、その結果として電子ジャーナルファイル１４に追記されたジャーナルデータを、ジャーナルデータ表示エリア５０に表示した例を示している。
【００２８】
また、ＣＰＵ１１は、検索条件選択ボタン４１が選択されないとき、一商取引の処理を修正する処理を行なったときは、ＳＴ１１０として、終了ボタン４２の入力指示があったか否かを判断する。終了ボタン４２の入力指示があった場合には、ジャーナルログ確認画面４０を閉じ、この処理を終了する。
【００２９】
この実施の形態のＰＯＳ端末１によると、ジャーナルログ確認画面４０を呼出し、簡易操作でジャーナルデータを電子ジャーナルファイル１４から検索し、この検索されたジャーナルデータをジャーナルデータ表示エリア５０に表示し、この表示された電子ジャーナルと連動して、レジマイナス処理等の一商取引の処理を修正することができる。このため、一商取引の処理を修正するためのオペレーションの簡素化、ビジュアルでの確認及び操作が可能となるため、操作を知らないオペレータでも簡単に利用可能となる。
【００３０】
また、ＰＯＳ端末１は、レジマイナス等の処理を行なうために、商取引を行なったレシートを紛失した場合でも、ジャーナルログ確認画面４０のジャーナルデータ表示エリア５０に表示した電子ジャーナルと連動させて、簡単にレジマイナス処理等の一商取引の処理を修正することができる。
【００３１】
なお、本発明は、上述した実施の形態そのままに限定されるものではなく、実施段階ではその要旨を逸脱しない範囲で構成要素を変形して具体化できるものである。
【図面の簡単な説明】
【００３２】
【図１】本発明の一実施の形態であるＰＯＳ端末の要部構成を示すブロック図。
【図２】同実施の形態におけるＰＯＳ端末が有する電子ジャーナルファイルに保存されるデータ構造の一例を示す喪式図。
【図３】同実施の形態におけるＰＯＳ端末のＣＰＵが実行するジャーナルログ確認処理の主要な処理手順を示す流れ図。
【図４】同実施の形態におけるジャーナル確認画面の一例を示す図。
【図５】同実施の形態におけるジャーナル確認画面における電子ジャーナルが選択された状態を示す図。
【図６】同実施の形態におけるジャーナル確認画面におけるレジマイナス処理の実行の有無のメッセージをポップアップ表示した状態を示す図。
【図７】同実施の形態におけるジャーナル確認画面におけるレジマイナス処理のジャーナルデータの表示例を示す図。
【符号の説明】
【００３３】
１…ＰＯＳ端末装置、１１…ＣＰＵ、１４…電子ジャーナルファイル、１９…キーボード、２０…オペレータ用表示器、３１…モードスイッチ、４０…ジャーナル確認画面、４３…レジマイボタン、５０…ジャーナルデータ表示エリア
【図１】
2008071164.tif 000003
【図２】
2008071164.tif 000004
【図３】
2008071164.tif 000005
【図４】
2008071164.tif 000006
【図５】
2008071164.tif 000007
【図６】
2008071164.tif 000008
【図７】
2008071164.tif 000009